(57)【特許請求の範囲】
【請求項１】
電子内視鏡装置に用いられる画像信号処理ユニットであって、スコープの撮像センサを制御するための一次側回路基板と、この一次側回路基板に第１の電気的絶縁回路を介して接続され、しかも前記撮像センサで得られた画像信号を処理してビデオ信号を生成すると共に周辺駆動要素を駆動制御するための二次側回路基板と、前記一次側回路基板及び二次側回路基板を支持する導電性フレームとを具備し、前記ビデオ信号を外部に出力するためのワイヤハーネスが第１のコネクタを介して前記二次側回路基板に接続され、前記周辺駆動要素を駆動制御する制御信号を伝送するためのワイヤハーネスが第２のコネクタを介して前記二次側回路基板に接続されている画像信号処理ユニットにおいて、
前記二次側回路基板が前記第１及び第２のコネクタのそれぞれの近傍において少なくとも一箇所で前記導電性フレームに接地され、前記第１及び第２のコネクタから延びるそれぞれのワイヤハーネスのグランド線が前記導電性フレームに対して少なくとも一箇所で接地されることを特徴とする画像信号処理ユニット。
【請求項２】
請求項１に記載の画像信号処理ユニットにおいて、前記一次側回路基板から延びるワイヤハーネスにはノイズの出入りを防止するためのノイズ防止要素が取り付けられることを特徴とする画像信号処理ユニット。
【請求項３】
請求項１または２に記載の画像信号処理ユニットにおいて、前記一次側回路基板及び二次側回路基板に給電するための電源回路基板が設けられ、この電源回路基板が前記一次側回路基板に給電するための一次側電源回路基板部分と、前記二次側回路基板に給電するための二次側電源回路基板部分と、前記一次側電源回路基板部分及び二次側電源回路基板部分を互いに接続させる第２の電気的絶縁回路とから成り、前記一次側電源回路基板部分から前記一次側回路基板に延びる給電用ワイヤハーネスにはノイズの出入りを防止するためのノイズ防止要素が取り付けられ、前記二次側電源回路基板部分から前記二次側回路基板に延びる給電用ワイヤハーネスが該二次側回路基板上に設けた給電コネクタに接続され、前記二次側回路基板が前記給電コネクタの近傍の少なくとも一箇所で前記導電性フレームに接地され、該給電コネクタから延びる給電用ワイヤハーネスのグランド線が前記導電性フレームに対して少なくとも一箇所で接地されることを特徴とする画像信号処理ユニット。
【請求項４】
請求項１から３までのいずれか１項に記載の画像信号処理ユニットにおいて、前記スコープの遠位端の前方を照明すべく該スコープ内に挿通させられた光ガイドケーブルに照明光を供給するための照明ランプと、この照明ランプにワイヤハーネスを介して給電する電源ユニットが設けられ、該ワイヤハーネスは前記電源ユニット内の回路基板に第３のコネクタを介して接続され、前記第３のコネクタの近傍の少なくとも一箇所で前記電源ユニット内の回路基板が前記導電性フレームに接地され、前記第３のコネクタから延びるワイヤハーネスのグランド線が前記導電性フレームに対して少なくとも一箇所で接地されることを特徴とする画像信号処理ユニット。
【請求項５】
請求項１から４までのいずれか１項に記載の画像信号処理ユニットにおいて、前記二次側回路基板の一部を成す独立回路基板部分を備え、この独立回路基板部分が前記電気的絶縁回路を介して前記一次側回路基板に接続され、前記独立回路基板部分と前記二次側回路基板とはそれぞれの基板上に設けられた第４及び第５のコネクタ間に延びるワイヤハーネスによって接続され、前記独立回路基板部分は前記第４のコネクタの近傍の少なくとも一箇所で前記導電性フレームに接地され、前記二次側回路基板は前記第５のコネクタの近傍の少なくとも一箇所で前記導電性フレームに接地され、前記第４及び第５のコネクタの間に延びるワイヤハーネスのグランド線が前記導電性フレームに対して少なくとも一箇所で接地されることを特徴とする画像信号処理ユニット。
【発明の詳細な説明】
【０００１】
【発明の属する技術分野】
本発明は電子内視鏡装置に用いられる画像信号処理ユニットに関し、一層詳しくは画像信号処理ユニット内に設けられる配線用ワイヤハーネスのノイズ対策に関する。
【０００２】
【従来の技術】
周知のように、電子内視鏡装置はスコープ (内視鏡)と、このスコープの遠位端に設けられた撮像センサと、該スコープの近位側で着脱自在に接続させられる画像信号処理ユニットとから成る電子内視鏡装置であって、撮像センサで得られた被写体像の画像信号を画像信号処理ユニットで適宜処理した後にそこからビデオ信号として出力し、そのビデオ信号に基づいて被写体像を例えばＴＶモニタで再現表示するように構成されているものである。画像信号処理ユニット内には、撮像センサを駆動してそこから読み出された画像信号を処理するための画像信号処理部だけでなく、種々の電動モータや照明用ランプ等の周辺駆動要素も設けられる。かくして、画像信号処理ユニット内には配線用のワイヤハーネスが縦横に配設されることになり、そのノイズ対策が問題となる。
【０００３】
従来では、ワイヤハーネスに対するノイズ対策として、それぞれのワイヤハーネスにノイズの出入りを防止するためのノイズ防止要素の一種であるフェライトコアを装着することにより行っている。フェライトコアは比較的重量があり、また大きなノイズ防止効果を得るためには大きなフェライトコアが必要である。近年、電子内視鏡装置には様々な新たな機能が加えられ、これに伴って画像信号処理ユニット内に設けるべき周辺駆動要素も増大すると共にワイヤハーネスの配線も益々複雑化することになる。その結果、画像信号処理ユニットが大型化すると共にその重量も相当なものとなる。
【０００４】
一方、電子内視鏡装置で用いられる画像信号処理ユニットでは、画像信号処理部は撮像センサを駆動制御するための一次側電気系統と、撮像センサから読み出された画像信号を処理するための二次側電気系統とから成り、一次側電気系統と二次側電気系統とは電気的絶縁回路を介して互いに接続される。電気的絶縁回路には例えば複数のフォトカプラが用いられ、一次側電気系統から出力される画像信号等は該フォトカプラで一旦光信号に変換され、次いで電気信号に戻されて二次側電気系統に送られる。要するに、患者の身体に係わる一次側電気系統は二次側電気系統と電気的に完全に隔離させられる。
【０００５】
従って、画像信号処理ユニットの保守点検時或いは修理時には、一次電気系統と二次電気系統との電気的隔離状態が破られないように注意することが必要である。しかしながら、ワイヤハーネスの配設が複雑化すればする程、一次電気系統に属するワイヤハーネスと二次電気系統に属するワイヤハーネスとの識別が難しくなり、保守点検及び修理に支障を来すこととなる。
【０００６】
【発明が解決しようとする課題】
それ故、本発明の目的は、電子内視鏡装置に用いられる画像信号処理ユニットであって、その重量を増大させることなくしかもその大型化を回避し得るようにノイズ対策が施された画像信号処理ユニットを提供することである。
【０００７】
本発明の別の目的は、上述したような画像信号処理ユニットであって、撮像センサを駆動制御するための一次側電気系統と、撮像センサから読み出された画像信号を処理するための二次側電気系統とが容易に区別し得るようにされた画像信号処理ユニットを提供することである。
【０００８】
【課題を解決するための手段】
本発明による画像信号処理ユニットは電子内視鏡装置に用いられるものであって、スコープの撮像センサを制御するための一次側回路基板と、この一次側回路基板に第１の電気的絶縁回路を介して接続され、しかも撮像センサで得られた画像信号を処理してビデオ信号を生成すると共に周辺駆動要素を駆動制御するための二次側回路基板と、一次側回路基板及び二次側回路基板を支持する導電性フレームとを具備し、ビデオ信号を外部に出力するためのワイヤハーネスが第１のコネクタを介して二次側回路基板に接続され、周辺駆動要素を駆動制御する制御信号を伝送するためのワイヤハーネスが第２のコネクタを介して二次側回路基板に接続される。本発明によれば、このような画像信号処理ユニットにおいて、二次側回路基板が第１及び第２のコネクタのそれぞれにおいて少なくとも一箇所で導電性フレームに接地され、第１及び第２のコネクタから延びるそれぞれのワイヤハーネスのグランド線が導電性フレームに対して少なくとも一箇所で接地されることが特徴とされる。
【０００９】
本発明による画像信号処理ユニットの好ましい実施形態にあっては、一次側回路基板から延びるワイヤハーネスにはノイズの出入りを防止するためのノイズ防止要素が取り付けられ、これにより画像信号処理ユニット内のワイヤハーネスが一次側回路基板及び二次側回路基板のいずれに係わるかを直ちに認識することができる。
【００１０】
また、本発明による画像信号処理ユニットの好ましい実施形態においては、一次側回路基板及び二次側回路基板に給電するための電源回路基板が設けられ、この電源回路基板が一次側回路基板に給電するための一次側電源回路基板部分と、二次側回路基板に給電するための二次側電源回路基板部分と、一次側電源回路基板部分及び二次側電源回路基板部分を互いに接続させる第２の電気的絶縁回路とから成る。一次側電源回路基板部分から一次側回路基板に延びる給電用ワイヤハーネスにはノイズの出入りを防止するためのノイズ防止要素が取り付けられ、二次側電源回路基板部分から二次側回路基板に延びる給電用ワイヤハーネスが該二次側回路基板上に設けた給電コネクタに接続され、二次側回路基板が給電コネクタの近傍の少なくとも一箇所で導電性フレームに接地され、該給電コネクタから延びる給電用ワイヤハーネスのグランド線が導電性フレームに対して少なくとも一箇所で接地される。
【００１１】
更に、本発明による画像信号処理ユニットの好ましい実施形態においては、スコープの遠位端の遠位端の前方を照明すべく該スコープ内に挿通させられた光ガイドケーブルに照明光を供給するための照明ランプと、この照明ランプにワイヤハーネスを介して給電する電源ユニットが設けられる。該ワイヤハーネスは電源ユニット内の回路基板に第３のコネクタを介して接続され、第３のコネクタの近傍の少なくとも一箇所で導電性フレームに接地され、第３のコネクタから延びるワイヤハーネスのグランド線が導電性フレームに対して少なくとも一箇所で接地される。
【００１２】
更に、本発明による画像信号処理ユニットの好ましい実施形態においては、二次側回路基板がそれとは独立した独立回路基板部分を備え、この独立回路基板部分が電気的絶縁回路を介して一次側回路基板に接続される。独立回路基板部分と二次側回路基板とはそれぞれの基板上に設けられた第４及び第５のコネクタ間に延びるワイヤハーネスによって接続され、独立回路基板部分は第４のコネクタの近傍の少なくとも一箇所で導電性フレームに接地され、二次側回路基板は第５のコネクタの近傍の少なくとも一箇所で導電性フレームに接地される。一方、第４及び第５のコネクタの間に延びるワイヤハーネスのグランド線が導電性フレームに対して少なくとも一箇所で接地される。
【００１３】
【発明の実施の形態】
次に、本発明による画像信号処理ユニットの一実施形態について添付図面を参照して説明する。
【００１４】
先ず、図１を参照すると、本発明による画像信号処理ユニットの内部構造が概略的に示される。参照符号１０は画像信号処理ユニットの筐体を示し、この筐体１０は導電性材料即ち適当な金属材料から形成されたフレームとして形成される。要するに、図１では、筐体１０の頂部壁を取り払った状態で画像信号処理ユニットの内部構造が平面図として図示されている。
【００１５】
筐体即ちフレーム１０の側壁にはソケット部１２が取り付けられ、このソケット部１２にはスコープ（図示されない）から延びる接続ケーブルの先端に取り付けられたコネクタが着脱自在に接続されるようになっている。スコープの遠位端には固体撮像素子例えばＣＣＤ(charge-coupled device) 撮像素子から成る撮像センサが設けられ、該スコープ内には撮像センサを駆動して画像信号を読み出すための信号線や電源線等が挿通させられる。これら信号線や電源線は上述の接続ケーブル内に纏められてその先端のコネクタまで延びる。画像信号処理ユニットへのスコープの接続時、即ちソケット部１２へのコンタクトの接続時、接続ケーブル内の信号線や電源線は画像信号処理ユニット内の画像信号処理部及び電源部にそれぞれ接続される。
【００１６】
画像信号処理部は撮像センサを駆動制御するための一次側電気系統１４と、撮像センサから読み出された画像信号を処理するための二次側電気系統１６とから成る。本実施形態では、一次側電気系統１４はソケット部１２と、そこから延びる配線用のワイヤハーネス（信号線及び電源線等を含む）１８と、一次側回路基板（患者回路）２０とを包含し、また二次側電気系統１６は二次側回路基板２２と、この二次側回路基板２２の一部を成す独立回路基板部分２４と、二次側回路基板２２と独立回路基板部分２４との間に延びるワイヤハーネス２６とを包含する。
【００１７】
一次側回路基板２０は電気的絶縁回路２８を介して独立回路基板部分２４に接続される。本実施形態では、電気的絶縁回路２８には複数のフォトカプラが設けられ、一次側回路基板２０から出力される画像信号等は該フォトカプラで一旦光信号に変換され、次いで電気信号に戻されて独立回路基板部分２４に送られ、この独立回路基板部分２４からは電気信号即ち画像信号等はワイヤハーネス２６を介して二次側回路基板２２に送られる。なお、電気絶縁回路２８にはフォトカプラに代わるものとして、所謂絶縁トランスを用いてもよく、この場合には、一次側回路基板２０から出力される画像信号等は一旦磁気信号に変換され、次いで電気信号に戻される。
【００１８】
一次側回路基板２０上にはコネクタ２９が搭載され、ソケット部１２から延びるワイヤハーネス１８はコネクタ２９を介して一次回路基板２０に接続される。ワイヤハーネス１８に対するノイズ防止策として、該ワイヤハーネス１８にはノイズの出入りを防止するためのノイズ防止要素の一種であるフェライトコア３０が装着される。
【００１９】
一方、二次側回路基板２２及び独立回路基板部分２４にはそれぞれコネクタ３２及び３３が搭載され、ワイヤハーネス２６はコネクタ３２及び３３を介して二次側回路基板２２及び独立回路基板部分２４にそれぞれ接続される。ワイヤハーネス２６に対するノイズ防止策として、二次側回路基板２２はコネクタ３２の近傍の少なくとも一箇所で筐体即ちフレーム１０に接地され、かつ独立回路基板部分２４もコネクタ３３の近傍の少なくとも一箇所でフレーム１０に接地され、更にはワイヤハーネス２６のグランド線がフレーム１０に対して少なくとも一箇所で接地される。
【００２０】
詳述すると、本実施形態では、図２に示すように、二次側回路基板２２の裏面の二箇所即ちコネクタ３２に接近した二箇所３４ａ及び３４ｂで該二次側回路基板２２の被覆層が剥がされて、そのグランド層が露出させられる。各グランド層露出箇所（３４ａ、３４ｂ）とフレーム１０の底部との間には図３に示すように金属製板ばね要素３６が配置され、これにより二次側回路基板２２はグランド層露出箇所３４ａ及び３４ｂの二箇所でフレーム接地されることになる。同様に、独立回路基板部分２４の裏面の二箇所即ちコネクタ３３に接近した二箇所で該独立回路基板部分２４の被覆層が剥がされて、そのグランド層が露出させられ、それら露出箇所とフレーム１０の底部との間に金属製板ばね要素３８を配置することにより、独立回路基板部分２４はフレーム接地される。また、各ワイヤハーネス２６からはその中のグランド線が剥き出され、そのグランド線には導線４０の一端が半田付けされ、その他端は適当なビス４２でフレーム１０の底部に固着され、これにより個々のワイヤハーネス２６はフレーム接地される。
【００２１】
このようにワイヤハーネス２６の両端の接続箇所の近傍即ちコネクタ（３２、３３）の近傍で回路基板（２２、２４）をフレーム接地すると共に個々のワイヤハーネス２６のグランド線をフレーム接地することにより、ワイヤハーネス２６に対するノイズの出入りが効果的に防止することが可能となる。
【００２２】
図１において、参照符号４４は電源回路基板を示し、この電源回路基板４４は一次側電源回路基板４４ａと二次側電源回路基板４４ｂとから成り、これら双方の電源回路基板は電気的絶縁回路４６によって互いに接続される。本実施形態では、電気的絶縁回路４６は上述の電気的絶縁回路２８と同様にフォトカプラから形成され、これにより一次側電源回路基板４４ａは二次側電源回路基板４４ｂから電気的に完全に隔離される。
【００２３】
一次側電源回路基板４４ａからは給電用のワイヤハーネス４８が延び、このワイヤハーネス４８は一次側回路基板２０上に搭載されたコネクタ５０介して該一次側回路基板２０に接続される。即ち、一次側回路基板２０は一次側電源回路基板４４ａからワイヤハーネス４８を介して給電される。ワイヤハーネス４８に対するノイズ防止策として、該ワイヤハーネス４８にはノイズの出入りを防止するためにフェライトコア５２が装着される。
【００２４】
二次側電源回路基板４４ｂからは給電用のワイヤハーネス５４が延び、このワイヤハーネス５４は二次回路基板２２上に搭載されたコネクタ５６を介して該二次回路基板２２に接続される。即ち、二次側回路基板２２は二次側電源回路基板４４ｂからワイヤハーネス５４を介して給電される。ワイヤハーネス５４に対するノイズ防止策として、二次側回路基板２２はコネクタ５６の近傍の少なくとも一箇所でフレーム１０に接地され、ワイヤハーネス５４のグランド線が一次電源回路基板４４ｂ側でフレーム１０に対して接地される。詳述すると、上述の場合と同様に、二次側回路基板２２の裏面の二箇所即ちコネクタ５６に接近した二箇所で該二次側回路基板２２の被覆層が剥がされて、そのグランド層が露出させられる。各グランド層露出箇所とフレーム１０の底部との間には図４に示すように金属製板ばね要素５８が配置され、これにより二次側回路基板２２はグランド層露出箇所の二箇所でフレーム接地される。
【００２５】
図１において、参照符号６０はコンポーネントビデオ信号を出力するためのコネクタを示し、このコネクタ６０も二次側回路基板２２上の適当な箇所に搭載される。コネクタ６０からはコンポーネントビデオ信号出力用のワイヤハーネス６２が延び、各ワイヤハーネス６２の先端はフレーム１０の側壁に設けた接続端子６４に接続され、これら接続端子６４を介してコンポーネントビデオ信号はＴＶモニタに送られる。
【００２６】
ワイヤハーネス６２に対しても上述した場合と同様なノイズ防止策が施される。即ち、図５に示すように、二次側回路基板２２の裏面の二箇所即ちコネクタ６０に接近した二箇所で該二次側回路基板２２の被覆層が剥がされて、そのグランド層が露出させられ、各グランド層露出箇所とフレーム１０の底部との間には金属製板ばね要素６６が配置される。一方、各ワイヤハーネス６２からはその中のグランド線が剥き出され、そのグランド線には導線６８の一端が半田付けされ、その他端は接続端子６４の適当な箇所に半田付けされる。
【００２７】
図１において、参照符号７０はコンポジットビデオ信号やＳビデオ信号等をビデオプリンタやビデオ・テープ・レコーダ等の周辺機器に出力するためのコネクタを示し、このコネクタ７０も二次側回路基板２２上の適当な箇所に搭載される。コネクタ７０からはビデオ信号出力用のワイヤハーネス７２が延び、各ワイヤハーネス７２の先端はフレーム１０の側壁に設けた接続端子７４に接続される。各ワイヤハーネス７２にもワイヤハーネス６２の場合と同様なノイズ防止策が施される。
【００２８】
図１において、参照符号７６はフレーム１０の側壁の適当な箇所に取り付けられた冷却ファン７８に給電するためのコネクタを示し、このコネクタ７６も二次側回路基板２２上の適当な箇所に搭載される。コネクタ７６と冷却ファン７８との間には給電用のワイヤハーネス８０が延びる。
【００２９】
ワイヤハーネス８０に対しても上述した場合と同様なノイズ防止策が施される。即ち、図６に示すように、二次側回路基板２２の裏面の二箇所即ちコネクタ７６に接近した二箇所で該二次側回路基板２２の被覆層が剥がされて、そのグランド層が露出させられ、各グランド層露出箇所とフレーム１０の底部との間には金属製板ばね要素８２が配置される。一方、ワイヤハーネス８０からはその中のグランド線が剥き出され、そのグランド線には導線８４の一端が半田付けされ、その他端は適当なビス８６でフレーム１０の側壁に固着されてフレーム接地される。なお、冷却ファンは通常は樹脂等で被覆されているが、そこにフレーム接地し得る箇所があれば、その箇所に導線８４の他端を半田付けしてもよい。
【００３０】
なお、本実施形態では、フレーム１０の側壁にはもう１つの冷却ファン８８が取り付けられ、この冷却ファン８８は二次側回路基板２２上に搭載されたコネクタ９０から延びる給電用のワイヤハーネス９２によって給電され、このワイヤハーネス９２にもワイヤハーネス８０と同様なノイズ防止策が施される。
【００３１】
本実施形態では、スコープの撮像センサによるカラー撮像方式として、面順次方式が採用されている。このため画像信号処理ユニット１０内には回転式の三原色カラーフィルタ９４が設けられ、この三原色カラーフィルタ９４は白色照明ランプ９６と組み合わせられる。ソケット部１２にスコープが接続されたとき、そのスコープの接続部から延びる光ガイドロッドが三原色カラーフィルタ９４を介して白色照明ランプ９６と光学的に接続され、光ガイドロッドはスコープ内を挿通させられた光ガイドケーブルに接続させられる。光ガイドケーブルはスコープの遠位端まで到達し、これにより三原色カラーフィルタ９４の回転時に該スコープの遠位端の前方は所定の時間間隔で三原色光で順次照明される。
【００３２】
三原色カラーフィルタ９４は例えばステッピングモータ９８によって回転駆動させられ、このステッピングモータ９８は二次側回路基板２２上に搭載されたコネクタ１００から延びる給電用のワイヤハーネス１０２によって給電される。ワイヤハーネス１０２に対しても上述した場合と同様なノイズ防止策が施される。即ち、図７に示すように、二次側回路基板２２の裏面の二箇所即ちコネクタ１００に接近した二箇所で該二次側回路基板２２の被覆層が剥がされて、そのグランド層が露出させられ、各グランド層露出箇所とフレーム１０の底部との間には金属製板ばね要素１０４が配置される。一方、ワイヤハーネス１０２からはその中のグランド線が剥き出され、そのグランド線には導線１０６の一端が半田付けされ、その他端は適当なビス１０８でステッピングモータ９８の金属支持板１１０に固着されてフレーム接地される。
【００３３】
一方、白色照明ランプ９６はランプ電源ユニット１１２から給電用のワイヤハーネス１１４から給電され、このワイヤハーネス１１４にも上述したようなノイズ防止策が施される。即ち、ランプ電源ユニット１１２内にも適当な回路基板が設けられ、ワイヤハーネス１１４は該回路基板上に搭載されたコネクタに接続され、該回路基板も該コネクタに接近した少なくとも一箇所でそのグランド層がフレーム接地される。また、ワイヤハーネス１１４のグランド線も剥き出され、そのグランド線には適当な導線を介してフレーム接地される。
【００３４】
従来技術に沿った図８を参照すると、図１に示す画像信号処理ユニット１０内の二次側回路基板２２に係わる全てのワイヤハーネスに対してフェライトコアＦＣを装着してノイズ防止対策を施した場合が図示されている。なお、図８では、図１と同様な構成要素については同じ参照符号が用いられている。
【００３５】
図８から明らかなように、フェライトコアＦＣ自体は比較的嵩張ったものであり、電子内視鏡装置に様々な新たな機能が加えられて、その画像信号処理ユニット内のワイヤハーネスの配線も益々複雑化した場合には、フェライトコアの装着スペースを予め用意しておかなければならない。その結果、画像信号処理ユニットは大型化すると共に多数のフェライトコアのためにその全体重量は相当に増大することとなる。
【００３６】
また、図８に示すように、全てのワイヤハーネスにフェライトコアを装着した場合には、電気的に隔離された一次側回路基板２０に係わるワイヤハーネスとフレーム接地された二次回路基板２２に係わるワイヤハーネスとには共にフェライトコアが装着されているために、双方のワイヤハーネスを直ちに識別することは難しい。しかしながら、図１から明らかなように、本発明による画像信号処理ユニットにあっては、一次側回路基板２０に係わるワイヤハーネス（１８、４８）だけにノイズ防止策としてフェライトコア（３０、５２）が装着されるために、どのワイヤハーネスが一次側回路基板２０に係わるのかは直ぐに認識することができる。
【００３７】
【発明の効果】
以上の記載から明らかなように、本発明による画像信号処理ユニットにおいては、ワイヤハーネスに対するノイズ防止策として装着されるべきフェライトコアの使用が大巾に削減することができるので、画像信号処理ユニットの小型化だけでなくその軽量化に寄与し得る。また、電気的に隔離しなければならないワイヤハーネスを直ぐに識別することができるので、画像信号処理ユニットの保守点検時或いは修理を効率的に行うことができる。
【図面の簡単な説明】
【図１】本発明による画像信号処理ユニットの筐体即ちフレームの頂部壁を切り取ってその内部構造を示す平面図である。
【図２】図１に示す二次側回路基板の裏側の一部を示す底面図である。
【図３】図１のIII-III線に沿う部分断面図である。
【図４】図１のIV-IV線に沿う部分断面図である。
【図５】図１のV-V線に沿う部分断面図である。
【図６】図１のVI-VI線に沿う部分断面図である。
【図７】図１のVII-VII線に沿う部分断面図である。
【図８】図１と同様な平面図であって、図１に示す画像信号処理ユニット内の二次側回路基板に係わる全てのワイヤハーネスに対し従来技術に沿ってフェライトコアＦＣを装着してノイズ防止対策を施した場合を示す図である。
【符号の説明】
１０  画像信号処理ユニット
１２  ソケット部
１４  一次側電気系統
１６  二次側電気系統
１８  ワイヤハーネス
２０  一次側回路基板（患者回路）
２２  二次側回路基板
２４  独立回路基板部分
２６  ワイヤハーネス
２８  電気的絶縁回路
２９  コネクタ
３０  フェライトコア
３２・３３  コネクタ
３４ａ・３４ｂ  グランド層露出箇所
３６・３８  金属製板ばね要素
４０  導線
４２  ビス
４４  電源回路基板
４４ａ  一次側電源回路基板
４４ｂ  二次側電源回路基板
４６  電気的絶縁回路
４８  ワイヤハーネス
５０  コネクタ
５２  フェライトコア
５４  ワイヤハーネス
５６  コネクタ
５８  金属製板ばね要素
【図１】
0004618875.tif 000002
【図２】
0004618875.tif 000003
【図３】
0004618875.tif 000004
【図４】
0004618875.tif 000005
【図５】
0004618875.tif 000006
【図６】
0004618875.tif 000007
【図７】
0004618875.tif 000008
【図８】
0004618875.tif 000009